(57)【要約】【課題】  複数のディスク装置を備えた記録再生装置の使い勝手を良くする。【解決手段】  複数のディスク装置２６、２７を有し、前記ディスク装置は各々にディスク挿入／排出用のトレイ１１、１２を備えた記録再生装置において、挿入されたディスクを判別するディスク判別手段と、前記ディスク装置の動作状態の確認手段と、任意のディスク装置に挿入されたディスクが再生できないディスクと判別され、前記任意以外のディスク装置が動作状態でないと確認された際、前記任意のディスク装置のトレイと共に前記任意以外のディスク装置のトレイも排出制御する手段と、を備えた構成とする。【選択図】  図１
2006244663.tif 000002
【特許請求の範囲】
【請求項１】
複数のディスク装置を有し、前記ディスク装置は各々にディスク挿入／排出用のトレイを備えた記録再生装置において、
挿入されたディスクを判別するディスク判別手段と、
前記ディスク装置の動作状態の確認手段と、
任意のディスク装置に挿入されたディスクが再生できないディスクと判別され、前記任意以外のディスク装置が動作状態でないと確認された際、前記任意のディスク装置のトレイと共に前記任意以外のディスク装置のトレイも排出制御する手段と、
を有することを特徴とする記録再生装置。
【請求項２】
前記記録再生装置は、
前記任意のディスク装置のトレイと前記任意以外のディスク装置のトレイとの排出に伴い、前記任意のディスク装置から前記任意以外のディスク装置へディスク装置に対する操作系を切り換える制御手段
を有することを特徴とする請求項１に記載の記録再生装置。
【請求項３】
前記記録再生装置は、
前記任意のディスク装置のトレイと前記任意以外のディスク装置のトレイとの排出に伴い、前記任意以外のディスク装置に該ディスクを挿入することを知らせる表示手段
を有することを特徴とする請求項１または２に記載の記録再生装置。
【請求項４】
前記記録再生装置は、
前記任意のディスク装置のトレイと前記任意以外のディスク装置のトレイとの排出に伴い、ディスク装置の操作系が切り換わることを知らせる表示手段
を有することを特徴とする請求項２に記載の記録再生装置。
【請求項５】
前記表示手段は、前記任意以外のディスク装置に該ディスクを挿入することを知らせる表示手段を兼用する表示手段
であることを特徴とする請求項４に記載の記録再生装置。
【請求項６】
複数のディスク装置を有し、前記ディスク装置は各々にディスク挿入／排出用のトレイを備えた記録再生装置において、
挿入されたディスクを判別するディスク判別手段と、
前記ディスク装置の動作状態の確認手段と、
前記ディスク判別手段及び動作確認手段の結果により、任意のディスク装置のトレイ、または前記トレイ及び前記任意以外のディスク装置のトレイを選択的に排出制御する選択排出制御手段と、
を有することを特徴とする記録再生装置。
【発明の詳細な説明】
【技術分野】
【０００１】
本発明は記録再生装置に関し、より詳細には１つの筐体に複数のディスク装置を備える記録再生装置に関する。
【背景技術】
【０００２】
最近の記録再生装置は、マルチメディア時代の要望に応えるために、大容量データの記憶媒体としてＤＶＤ（Digital Versatile Disk）を記録媒体に用いたＤＶＤ装置が一般的である。
【０００３】
ＤＶＤ装置は、波長６５０ｎｍ帯の赤色半導体レーザを光ディスクのピックアップとして用いており、一般的に記憶容量は４.７ＧＢである。
【０００４】
一方、従来のＤＶＤに比べて記録容量を増大させた光ディスクとして、ブルーレイディスク（Blu-ray Disc：登録商標）及びＨＤ  ＤＶＤ（High Definition ＤＶＤ）が発表されている。以下、ブルーレイディスクを「ＢＤ」と言う。ＢＤの場合は片面単層の記録容量は２３．３ギガバイト（ＧＢ）、２５ＧＢ、２７ＧＢの３種類が規格化されており、ＨＤ  ＤＶＤの場合は片面単層の記録容量が１５ＧＢであるものが発表されており、２０ＧＢの仕様も検討されている。ＢＤにおいては２時間以上に及ぶデジタルハイビジョン放送の番組を１枚のディスクに記録することができる。これらの光ディスクを使用する録画装置は、情報の記録及び再生を行うために波長が４００ｎｍ帯の青色半導体レーザ光を用いる構成となっている。
【０００５】
記録再生装置として、ＤＶＤ装置はかなり普及してきており記録再生用のメディアとしてもかなりの数が使用されている。一方、ＢＤやＨＤ  ＤＶＤについてはこれから普及していく段階であるためメディアの使用も限られてしまっているので、ＢＤ（またはＨＤ  ＤＶＤ）用ディスク装置とＤＶＤ用ディスク装置を1つの筐体に備えた装置が考えられ、一部商品化されている。
【０００６】
これらの記録再生装置において、各々のディスク装置に専用のトレイを備えているので、ユーザーは使用するディスクによりどのディスク装置を使用するか、選ぶ必要があった。
【０００７】
尚、複数枚のディスクを交換しつつ所望のディスクの演奏が可能なディスクプレーヤにおいて、トレイ上に、正規のサイズとは異なるディスクが載置された場合には、該ディスクを自動的に排出することは、以下の特許文献に記載されている。
【特許文献１】特許第３３０１８３４号公報
【発明の開示】
【発明が解決しようとする課題】
【０００８】
しかしながら、上述したように使用するディスクによりどのディスク装置を使用するかはユーザーが選択することになるので、違うディスク装置側にディスクを挿入してしまうと、再生できないディスクとして排出されてしまう。
【０００９】
そのため、他方のディスク装置側のトレイを排出操作した上でディスクを挿入し直して、記録再生等の操作を行うことになるので、使いづらい環境となっている。
【００１０】
本発明の目的は、複数のディスク装置を備えた記録再生装置の操作性を、更に詳細には、ディスク挿入の操作性を向上させることを目的とする。
【課題を解決するための手段】
【００１１】
上記の目的を達成するため、複数のディスク装置を有し、前記ディスク装置は各々にディスク挿入／排出用のトレイを備えた記録再生装置において、挿入されたディスクを判別するディスク判別手段と、前記ディスク装置の動作状態の確認手段と、任意のディスク装置に挿入されたディスクが再生できないディスクと判別され、前記任意以外のディスク装置が動作状態でないと確認された際、前記任意のディスク装置のトレイと共に前記任意以外のディスク装置のトレイも排出制御する手段と、を備えた構成とする。
【００１２】
また、前記記録再生装置は、前記任意のディスク装置のトレイと前記任意以外のディスク装置のトレイとの排出に伴い、前記任意のディスク装置から前記任意以外のディスク装置へディスク装置に対する操作系を切り換える制御手段を備えた構成とする。
【００１３】
また、前記記録再生装置は、前記任意のディスク装置のトレイと前記任意以外のディスク装置のトレイとの排出に伴い、前記任意以外のディスク装置に該ディスクを挿入することを知らせる表示手段を備えた構成とする。
【００１４】
また、前記記録再生装置は、前記任意のディスク装置のトレイと前記任意以外のディスク装置のトレイとの排出に伴い、ディスク装置の操作系が切り換わることを知らせる表示手段を備えた構成とする。
【００１５】
また、前記表示手段は、前記任意以外のディスク装置に該ディスクを挿入することを知らせる表示手段を兼用する表示手段を備えた構成とする。
【００１６】
また、複数のディスク装置を有し、前記ディスク装置は各々にディスク挿入／排出用のトレイを備えた記録再生装置において、挿入されたディスクを判別するディスク判別手段と、前記ディスク装置の動作状態の確認手段と、前記ディスク判別手段及び動作確認手段の結果により、任意のディスク装置のトレイ、または前記トレイ及び前記任意以外のディスク装置のトレイを選択的に排出制御する選択排出制御手段と、を備えた構成とする。
【発明の効果】
【００１７】
本発明の記録再生装置によれば、ディスクの挿入時に再生できないディスクと判別されると、他のディスク装置のトレイも排出するようにしており、簡単にディスクを入れ直せるのでユーザーの利便性が良くなる。
【００１８】
また、各ディスク装置に対する本体やリモコンのボタン等で操作するための操作系をトレイの排出に伴って切り換えるため、操作面でもユーザーの利便性が良くなる。
【発明を実施するための最良の形態】
【００１９】
図１は、本発明の実施形態に係る記録再生装置を示している。本実施形態の記録再生装置は２種類の記録媒体に対応しており、具体的にはＢＤ５１及びＤＶＤ系の光ディスク５２を使用可能としている。
【００２０】
尚、ＤＶＤ系の光ディスクにはＤＶＤ−ＲＷ、ＤＶＤ＋ＲＷ、ＤＶＤ−Ｒ、ＤＶＤ＋Ｒ、ＤＶＤ−ＲＡＭ、ＤＶＤビデオ、音楽用ＣＤ、ＣＤ−Ｒ、ＣＤ−ＲＷ、及びビデオＣＤ等があり、これらの光ディスクを総称して、以下「ＤＶＤ」５２と称す。
【００２１】
記録再生装置の前面部にはＢＤ５１及びＤＶＤ５２の受入部が設けられており、各開口２ａ、２ｂの中央側にはトレイ開閉ボタン８ａ、８ｂが設けられている。更に、トレイ開閉ボタン８ａ、８ｂの下方に、ＢＤ側処理への切換操作用のＢＤ切換ボタン８ｃ、ＤＶＤ側処理への切換操作用のＤＶＤ切換ボタン８ｄを配置し、各切換ボタン８ｃ、８ｄはディスク装置の選択表示として、各々、ＢＤ表示部（ＬＥＤ）９１とＤＶＤ表示部（ＬＥＤ）９２を具備している。そして、その周辺部に録画／再生等の操作系ボタン８ｅが配置されている。また、前面部に配置したリモコン受光部７は図示しないリモコン送信機からの操作信号を受けるためのものである。
【００２２】
ここでは、ＢＤ側のトレイ１１及びＤＶＤ側のトレイ１２を引き出した状態を示している。通常、ＢＤ側のトレイ１１及びＤＶＤ側のトレイ１２は筐体内部に格納されており、ＢＤ側のトレイ１１はトレイ開閉ボタン８ａを押すことで開口２ａより外方へ排出されるようになっている。ＢＤ側のトレイ１１にＢＤ５１を載せ再度トレイ開閉ボタン８ａを押すとＢＤ側のトレイ１１は筐体内方へ引き込まれる。尚、ＢＤ側のトレイ１１に載せられて筐体内部へ挿入されたＢＤ５１は、カートリッジ内の光ディスクがＢＤ側のディスク装置のモータ部１４で駆動回転されると共に、ＢＤ用ピックアップ部１３から発せられる青色半導体レーザ光で照射されることで、ＢＤ５１の有無検出、ＢＤ５１の空き容量検出、ＢＤ５１へのデータ書込み、及びＢＤ５１からのデータ読込み等を行う。
【００２３】
ＤＶＤ側のトレイ１２は、上述したＢＤ側のトレイ１１と同様に通常は筐体内部に格納されており、トレイ開閉ボタン８ｂが押されることで開口２ｂより排出される。ＤＶＤ側のトレイ１２にＤＶＤ５２を載せ再度トレイ開閉ボタン８ｂを押すとＤＶＤ側のトレイ１２は筐体へ引き込まれ、筐体に挿入されたＤＶＤ５２はＤＶＤ側のディスク装置のモータ部１６で駆動回転されると共に、ＤＶＤ用ピックアップ部１５が発する赤色半導体レーザ光で照射されることで、ＤＶＤ５２の有無検出、ＤＶＤ５２の空き容量検出、ＤＶＤ５２へのデータ書込み、及びＤＶＤ５２からのデータ読込み等を行う。
【００２４】
上述のように照射用のレーザ光は、ＢＤ用ピックアップ部１３は波長４００ｎｍ帯の青色半導体レーザ光、ＤＶＤ用ピックアップ部１５は波長６５０ｎｍ帯の赤色半導体レーザ光を使用しているので波長帯域が違っている上、ディスク側ではＢＤ５１の記録面は表面より０．１ｍｍであるのに対して、ＤＶＤ５２の記録面は０．６ｍｍであるので、規格が違うディスクに対して、規格の違うピックアップでは、データの書込みや読込みはできない。ディスクからデータの読込みができないと、ディスク制御処理部２５にデータが入力されないので、規格違いのディスクであると、判別される。
【００２５】
図２は、記録再生装置の主要な内部構成を示すブロック図である。インターフェイス部２２に接続された各種放送の受信信号、外部入力信号、及びＩＥＥＥ１３９４の信号等を制御部２１の制御により切り換えられ、そのコンテンツデータが画像／信号処理部２３にて録画するデータに変換され、ディスク制御処理部２５を通して、選択されているＢＤ側のディスク装置２６でＢＤ５１に、またはＤＶＤ側のディスク装置２７でＤＶＤ５２に記録される。
【００２６】
逆に、選択されたＢＤ側のディスク装置２６のＢＤ５１、またはＤＶＤ側のディスク装置２７のＤＶＤ５２からの再生データがディスク制御処理部２５を通して画像／信号処理部２３に入力され、必要に応じて画面表示処理部２４からの画面表示データが付加され視聴用の信号に変換されインターフェイス部２２より外部出力に出力される。そして、外部出力に接続されている図示しないテレビジョン受像機等により視聴することができる。
【００２７】
また、制御部２１は上述した録画再生処理に係る制御以外に、予約録画に係る制御及び装置全体に対する制御等を行い、リモコン受光部７、操作部８（８ａ〜８ｅの操作系ボタン）、ＢＤ表示部（ＬＥＤ）９１、ＤＶＤ表示部（ＬＥＤ）９２、ＲＯＭ３１、ＲＡＭ３２が接続されている。ＲＯＭ３１には制御部２１用のプログラム、ＯＳＤ用のメニュー画像データやディスク判別の結果による操作方法に関するガイダンス用データ等が予め格納されており、ＲＡＭ３２には制御部２１で処理される内容（データ）等が一時的に格納される。
【００２８】
図３は、本実施形態の動作例を表すフローチャートである。以下、このフローチャートに基づいて詳細な動作説明をする。
【００２９】
ＢＤ側のトレイ１１にディスクが載せられトレイ開閉ボタン８ａが押されると、トレイ１１は筐体内に引き込まれ、ＢＤ側のディスク装置のモータ部１４によりディスクが回転駆動させられると共に、ＢＤ用ピックアップ部１３にて青色半導体レーザ光で照射されてディスクデータ等が読込まれる（Ｓ１）。
【００３０】
そのデータがディスク制御処理部２５に入力されることで、ディスクの有無やＢＤかどうかの種類等が判別され、ＢＤと判別された（Ｓ２：Ｙｅｓ）場合は終了となり、ＢＤとして記録再生等の動作をする処理に戻る（Ｓ９）。
【００３１】
挿入されたディスクがＤＶＤであれば、ＢＤ用ピックアップ部１３は規格の違うディスクであるＤＶＤからのデータの読込みができなく、ディスク制御処理部２５にもデータが入力されない。よって、このディスクはＢＤではない、とディスク制御処理部２５により判別される（Ｓ２：Ｎｏ）。
【００３２】
ディスクがＢＤでないと判別されるとＢＤ側では使用できないので、このディスクを排出するために制御部２１よりＢＤ側のディスク装置２６にトレイ１１の排出処理が指示される（Ｓ３）。
【００３３】
次に、制御部２１内のＤＶＤ側の制御処理情報により、ＤＶＤ側が記録再生等の動作中、または、予約待機中等であるかどうかが確認され、記録再生等の動作中、または、予約待機中等であれば（Ｓ４：Ｙｅｓ）、ＤＶＤ側の制御変更は行わず動作を継続させたまま終了して通常動作の処理に戻る（Ｓ９）。
【００３４】
ＤＶＤ側にディスクが挿入されていないか、挿入されていても動作状態でないと確認されれば（Ｓ４：Ｎｏ）、制御部２１よりＤＶＤ側のディスク装置２７にトレイ１２の排出処理が指示される（Ｓ５）。
【００３５】
上述のように、ＤＶＤ側が記録再生等の動作中、または、予約待機中等の場合は、ステップＳ３でＢＤ側のトレイ１１のみが排出され、ＤＶＤ側にディスクが挿入されていないか、挿入されていても動作状態でない場合は、ステップＳ３とステップＳ５でＢＤ側のトレイ１１とＤＶＤ側のトレイ１２が実質的に同時に排出される。
【００３６】
すなわち、挿入されたディスクを判別すると共に、ＤＶＤ側のディスク装置２７の動作状態を確認する結果により、ＢＤ側のトレイ１１のみを排出するか、またはＢＤ側のトレイ１１とＤＶＤ側のトレイ１２との２つのトレイを排出するかが制御される。
【００３７】
そして、２つのトレイ１１、１２が排出される場合は特に、ＲＯＭ（プログラム）３１に格納されているガイダンス用データ「このディスクはＢＤではありません。ＤＶＤ側に挿入してください。」が画面表示処理部２４を通して、映像／音声信号処理部２３で映像信号に合成され、インターフェイス部２２の外部出力に接続された図示しないテレビジョン受像機等の表示装置の画面に表示され（Ｓ６）、ＤＶＤ側のトレイ１２にディスクを載せることを知らしめる。
【００３８】
また、ディスク装置の選択表示においては、ＢＤ側が選択状態であるのでＢＤ表示部（ＬＥＤ）９１が点灯したままとなっているが、これに追加してＤＶＤ表示部（ＬＥＤ）９２の点滅処理を行い（Ｓ７）、ＤＶＤ側のトレイ１２にディスクを載せることを知らしめる。ＤＶＤ表示部（ＬＥＤ）９２の点滅は、前記のように外部に表示装置の接続がなく画面表示が確認できない状態でもＤＶＤ側のトレイ１２にディスクを載せることを知らしめることができ有用である。
【００３９】
更に、記録再生装置本体の操作部８やリモコン（図示しない）のボタン等で操作するための操作系はＢＤ側とＤＶＤ側とで切り換えて使用するようにして構成の簡略化を図っている場合が多いが、本実施の形態においては、操作系がＢＤ側にあった状態でも上述の動作があった場合、制御部２１により操作系をＢＤ側からＤＶＤ側に自動的に切り換える（Ｓ８）。従って、ＢＤ側から排出されたディスクをＤＶＤ側のトレイ１２に載せて挿入した後、ユーザーは操作系の切り換えを意識することなく、本体やリモコンの録画や再生等ボタンでＤＶＤ側の録画や再生等の操作をすることができる。
【００４０】
ここで、上述の操作系をＢＤ側からＤＶＤ側に切り換える（Ｓ８）手順は、制御部２１によりＤＶＤ側のトレイ１２の排出処理が指示（Ｓ５）された後に行ってもよい。この場合を図４の他の動作例を表すフローチャートに基づいて説明する。
【００４１】
図３と同一の処理については同じステップ番号を付し、ステップＳ５までは同一の動作である。図３に明らかなように、ここではステップＳ５の後、操作系がＢＤ側にあった状態でも、制御部２１により操作系をＢＤ側からＤＶＤ側に自動的に切り換えられる（Ｓ８）。
【００４２】
次に、ＲＯＭ（プログラム）３１に格納されているガイダンス用データ「操作は、ＤＶＤ側に切り換えました。ＤＶＤ側に挿入してください。」が画面表示処理部２４を通して、映像／音声信号処理部２３で映像信号に合成され、インターフェイス部２２の外部出力に接続された図示しないテレビジョン受像機等の表示装置の画面に表示される（Ｓ６）。このような表示により、ディスク装置に対する本体やリモコンのボタン等で操作するための操作系がＤＶＤ側に切り換わったこと、及びＤＶＤ側のトレイ１２にディスクを載せて以後ＤＶＤ側を操作することを知らしめることができる。
【００４３】
更に、ディスク装置の選択表示においては、ＢＤ側が選択状態であるのでＢＤ表示部（ＬＥＤ）９１が点灯したままとなっているが、定められた時間ＤＶＤ表示部（ＬＥＤ）９２の点滅処理を行い（Ｓ７）、その後、ＢＤ表示部（ＬＥＤ）９１を消灯しＤＶＤ表示部（ＬＥＤ）９２を点灯するので、前記のように外部に表示装置の接続がなく画面表示が確認できない状態でも、ＤＶＤ側のトレイ１２にディスクを載せ、以後ＤＶＤ側を操作することを知らしめることができる。
【００４４】
いずれの場合においても、操作系をＢＤ側からＤＶＤ側に切り換える（Ｓ８）手順は、ＤＶＤ側のトレイ１２を排出後に行うように説明しているが、ディスクを載せ直し、ＤＶＤ側のトレイ１２が引き込まれて、ディスク制御処理部２５にてＤＶＤであると判別された後に行ってもよい。
【００４５】
以上、ＢＤ側のディスク装置２６にＤＶＤ５２を挿入した場合について説明したが、ＤＶＤ側のディスク装置２７にＢＤ５１を挿入した場合については、ＢＤとＤＶＤを入れ換えることで対応でき、フローチャート上の動作も同様である。
【００４６】
尚、他の実施形態例として図５に示すように、ＢＤ側のディスク装置２６とＤＶＤ側のディスク装置２７を縦型に配置した記録再生装置としてもよい。図１と同一の機能を有するものについては、同一符号を付して示している。本実施形態におけるＢＤ側のトレイ１１とＤＶＤ側のトレイ１２が同時に排出されてもディスクの取り出し／搭載することができるスペースを確保した位置にＢＤ側のディスク装置２６とＤＶＤ側のディスク装置２７を配置する縦型であっても、本発明を実施することを可能としており、ブロック図やフローチャート上の動作においても違いはない。
【００４７】
この実施例においては、ディスク装置としてＢＤとＤＶＤについて説明したが、他にＨＤ  ＤＶＤとＤＶＤであってもよいし、ＢＤとＨＤ  ＤＶＤであってもよい。また、２つのディスク装置としているが、３つのディスク装置（例えば、ＢＤとＨＤ  ＤＶＤとＤＶＤ）等、複数のディスク装置であってもよい。
【図面の簡単な説明】
【００４８】
【図１】本発明の実施形態に係る記録再生装置の２つのトレイを外方へ引き出した状態を示す斜視図である。
【図２】記録再生装置の主要な内部構成を示すブロック図である。
【図３】動作例を表すフローチャートである。
【図４】他の動作例を表すフローチャートである。
【図５】他の実施形態例の記録再生装置であり、２つのトレイを外方へ引き出した状態の斜視図である。
【符号の説明】
【００４９】
７  リモコン受光部
８  操作部
１１  ＢＤ側のトレイ
１２  ＤＶＤ側のトレイ
１３  ＢＤ用ピックアップ部
１５  ＤＶＤ用ピックアップ部
２１  制御部
２３  画像／音声信号処理部
２４  画面表示処理部
２６  ＢＤ側のディスク装置
２７  ＤＶＤ側のディスク装置
３１  ＲＯＭ（プログラム）
３２  ＲＡＭ
９１  ＢＤ表示部（ＬＥＤ）
９２  ＤＶＤ表示部（ＬＥＤ）
【図１】
2006244663.tif 000003
【図２】
2006244663.tif 000004
【図３】
2006244663.tif 000005
【図４】
2006244663.tif 000006
【図５】
2006244663.tif 000007